(57)【要約】【課題】乗りかご内でのカバー取付作業で簡単且つ確実に行える空調装置のカバー取付構造を提供する。【解決手段】取付用ブラケット３０の上部にカバー係止片３４が設けられ、且つ下部にカバー取付片３３が設けられ、カバー５０の上部にカバー係止片３４に係止されたフック部５４が設けられ、且つ下部にカバー取付片３３にねじ５７で固定された取付片５６が設けられている。【選択図】図５
2008037617.tif 000002
【特許請求の範囲】
【請求項１】
エレベータの乗りかごの側板側に固定された取付用ブラケットに取り付けられ、空気吹き出し口と吸気口とを有する空調装置本体を覆うカバーであって、
カバー前面壁部に前記空気吹き出し口と前記吸気口とに順次対応して、空気流通穴が形成された、空気吹き出し領域と吸気領域が形成されており、
前記空気吹き出し領域と、前記吸気領域との少なくとも一方の裏面側に光透過性の低い色に着色されたフィルタが配置されていることを特徴とするエレベータ用空調装置のカバー。
【請求項２】
前記空気吹き出し領域の前記空気流通穴は、前記空気吹き出し口の縦方向の長さ寸法と同等の長さの縦方向に沿ってスリットが複数形成され、または前記吹き出し口の横方向の長さ寸法と同等の長さの横方向に沿ってスリットが複数形成されていることを特徴とする請求項１記載のエレベータ用空調装置のカバー。
【請求項３】
エレベータの乗りかごの側板側に固定された取付用ブラケットと、前記取付用ブラケットに取り付けられた、空調装置本体と、前記空調装置本体を覆うカバーと、を備えるエレベータ用空調装置のカバー取付構造であって、
前記取付用ブラケットの上部にカバー係止片が設けられ、且つ下部にカバー取付片が設けられ、
前記カバーの上部に前記カバー係止片に係止されたフック部が設けられ、且つ下部に前記カバー取付片に固定部材で固定された取付片が設けられていることを特徴とするエレベータ用空調装置のカバー取付構造。
【請求項４】
前記カバー係止片は、前記取付用ブラケットの上部で前記側板寄りの位置に立設され、前記フック部は、前記カバー係止片に引っ掛かるように垂下するように設けられていることを特徴とする請求項３記載のエレベータ用空調装置のカバー取付構造。
【請求項５】
前記カバー取付片と前記取付片とは、重ねた状態で固定されていることを特徴とする請求項３または請求項４に記載のエレベータ用空調装置のカバー取付構造。
【請求項６】
エレベータの乗りかごの側板側に固定された取付用ブラケットと、前記取付用ブラケットに取り付けられた、空調装置本体と、前記空調装置本体を覆うカバーと、を備え、前記取付用ブラケットの上部にカバー係止片が設けられ、且つ下部にカバー取付片が設けられ、前記カバーの上部に前記カバー係止片に係止されたフック部が設けられ、且つ下部に前記カバー取付片に固定部材で固定された取付片が設けられたエレベータ用空調装置のカバー取付方法であって、
前記カバーを前記空調装置本体を覆うようにし、前記取付用ブラケットの前記カバー係止片に、前記カバーのフック部を係止する工程と、
前記カバーの前記取付片を、前記取付用ブラケットの前記カバー取付片に固定する工程と、
を備えることを特徴とするエレベータ用空調装置のカバー取付方法。
【発明の詳細な説明】
【技術分野】
【０００１】
本発明はエレベータの乗りかご用空調装置に関し、さらに詳しくは、乗りかご室内に据え付けた一体型空調装置のカバー、カバー取付構造およびカバー取付方法に関する。
【背景技術】
【０００２】
エレベータの乗りかご用空調装置としては、乗りかごの上に室内ユニットと室外ユニットとを配置したもの（例えば、特許文献１参照）が知られている。この他に、空調ユニットが乗りかごの上に配置され、空調ユニットからダクトを介して連通するように接続された吹き出し装置を乗りかご室内に備えるものも知られている（例えば、特許文献２参照）。
【特許文献１】特開平５−３１９７４３号公報
【特許文献２】特開２００５−２８０９０１号公報
【発明の開示】
【発明が解決しようとする課題】
【０００３】
しかしながら、上記した従来技術のように、乗りかご外の上部に空調ユニットなどを載置する場合、乗りかごが昇降路の最上位置にあるときの昇降路の天井面と乗りかご外の上部との間の寸法（オーバーヘッド寸法）の変更を余儀なくされる場合があった。また、最上位置での乗りかご外上部の省スペース化を図る必要があるため、乗りかご上への空調ユニットなどの設置には制約があった。また、乗りかごの上には、各種の設備が搭載されているため、さらに空調ユニットなどを追加配置することは設計上の問題点があった。
【０００４】
そこで、本発明の目的は、乗りかご内でのカバー取付作業で簡単且つ確実に行える空調装置のカバー取付構造を提供することにある。
【課題を解決するための手段】
【０００５】
本発明の第１の特徴は、エレベータの乗りかごの側板側に固定された取付用ブラケットに取り付けられ、前面側に空気吹き出し口と吸気口とを有する一体型の空調装置本体を覆うカバーであって、カバー前面壁部に前記空気吹き出し口と前記吸気口とに順次対応して、複数の空気流通穴が集合して形成された、空気吹き出し領域と吸気領域が形成されており、前記空気吹き出し領域と、前記吸気領域とのそれぞれの裏面側に光透過性の低い色に着色されたフィルタが配置されていることを要旨とする。
【０００６】
本発明の第２の特徴は、エレベータの乗りかごの側板側に固定された取付用ブラケットと、前記取付用ブラケットに取り付けられた、一体型の空調装置本体と、前記空調装置本体を覆うカバーと、を備えるエレベータ用空調装置のカバー取付構造であって、前記取付用ブラケットの上部にカバー係止片が設けられ、且つ下部にカバー取付片が設けられ、前記カバーの上部に前記カバー係止片に係止されたフック部が設けられ、且つ下部に前記カバー取付片に固定部材で固定された取付片が設けられていることを要旨とする。
【０００７】
本発明の第３の特徴は、エレベータの乗りかごの側板側に固定された取付用ブラケットと、前記取付用ブラケットに取り付けられた、一体型の空調装置本体と、前記空調装置本体を覆うカバーと、を備え、前記取付用ブラケットの上部にカバー係止片が設けられ、且つ下部にカバー取付片が設けられ、前記カバーの上部に前記カバー係止片に係止されたフック部が設けられ、且つ下部に前記カバー取付片に固定部材で固定された取付片が設けられたエレベータ用空調装置のカバー取付方法であって、前記カバーを前記空調装置本体を覆うようにし、前記取付用ブラケットの前記カバー係止片に、前記カバーのフック部を係止する工程と、前記カバーの前記取付片を、前記取付用ブラケットの前記カバー取付片に固定する工程と、を備えることを要旨とする。
【発明の効果】
【０００８】
本発明によれば、エレベータ用空調装置のカバーにおける空気吹き出し領域での結露が防止でき、カバー内の空調装置本体が見えにくく意匠性に優れたエレベータ用空調装置のカバーを提供する。
【０００９】
また、本発明によれば、乗りかご内での簡単な作業でエレベータ用空調装置のカバーを迅速且つ確実に取り付け、取り外しができる。
【発明を実施するための最良の形態】
【００１０】
以下、本発明の実施の形態に係るエレベータ用空調装置のカバー、カバー取付構造およびその取付方法の詳細を図面に基づいて説明する。
【００１１】
図１は本発明の実施の形態に係るエレベータ用空調装置のカバー５０備えたエレベータ用空調装置（以下、空調装置という。）１を示す斜視図であり、乗りかご２の室内を示している。本実施の形態おいて、空調装置１は、乗りかご２の側壁としての側板１０の上部に据え付けられている。なお、本実施の形態では、空調装置１をドアの側方に位置する側板に配置したが、ドアと対向する背面側の側板（背面板）に据え付けてもよい。また空調装置１は、室内機と室外機の機能が一体化されたものである。
【００１２】
（カバー）
カバー５０は、図１、図２および図５に示すように、空調装置本体４０を前面側から収納して覆うため、空調装置本体４０より大きめで、背面側に壁部がなく開放された筐体である。
【００１３】
図１、図２および図５に示すように、カバー５０は、空調装置本体４０の前面に設けられた冷却風を吹き出す吹き出し口（図示省略する。）と吸気口（図示省略する。）とに対応した領域に、複数の穴（空気流通穴）が集合して形成された、吹き出し領域５１と吸気領域５２とを有する。吹き出し領域５１は、前面壁部５０Ａの下部側に位置し、吸気領域５２は上部寄りに位置する。
【００１４】
図２に示すように、吹き出し領域５１は、マトリックス状に複数の長方形の穴５１Ａが集合して構成されている。吸気領域５２は、穴５１Ａよりもやや大きい長楕円状の複数の穴５２Ａがマトリックス状に集合して構成されている。
【００１５】
そして、図２および図５に示すように、前面壁部５０Ａの裏面側には、吹き出し領域５１に対応する位置にフィルタ５８が配置され、吸気領域５２に対応する位置にフィルタ５９が配置されている。なお、これら穴５１Ａ、５２Ａが小さい穴である場合は、フィルタ５９は空調装置本体４０側に配置させてもよい。
【００１６】
また、図６に示すように、カバー５０の下面壁部５０Ｂには、側板１０側近傍の両側に切り欠き（図示省略）を塞ぐ蓋板６１がそれぞれ着脱可能に設けられている。また、下面壁部５０Ｂの開放端縁には、側板１０との間に隙間を形成するように切り欠かれたスリット５０Ｃが形成されている。このスリット５０Ｃは、空調装置本体４０の裏面配置されたフィルタ６０の出し入れのために形成されている。
【００１７】
図５に示すように、カバー５０の上部壁部５３の側板１０近傍の両側位置には、後述する取付用ブラケット３０の上部に設けられたカバー係止片３４に引っ掛けるＬ字状のフック部５４が設けられている。また、カバー５０の底部壁部の側板１０近傍の両側位置には、後述する取付用ブラケット３０の下部に設けられたカバー取付片３３に重なる取付片５６が設けられている。この取付片５６には、カバー取付片３３に形成されたねじ穴３３Ａ（図４参照）に合致するねじ穴（図示省略する。）が形成されている。図５に示すように、取付片５６のねじ穴とカバー取付片３３のねじ穴３３Ａを合わせてねじ５７を螺合させることにより、カバー５０を取付用ブラケット３０から外れないように固定することができる。
【００１８】
このような構成のカバー５０は、乗りかご内の作業で容易に取り外しが可能であり、裏面側のフィルタ６０の交換も容易となる。
【００１９】
また、上記したように、カバー５０の前面壁部５０Ａの裏面側に配置したフィルタ５８は、吹き出し領域５１の手前で結露させて吹き出し領域５１から水滴が外側へ出ることを抑制する作用を奏する。
【００２０】
以下、上記カバー５０を用いて本実施の形態に係るエレベータ用空調装置のカバー取付構造について説明する。
【００２１】
本実施の形態に係る空調装置１は、図３に示す、乗りかご２の側板１０に形成された空気流通口１１Ａ，１１Ｂと、これら空気流通口１１Ａ，１１Ｂを挟む両側の側板１０に形成された取付固定具挿入口１２と、図４に示す、外側補強部材２０と、側板１０の室内側の面に配置され、外側補強部材２０と共に側板１０に固定された取付用ブラケット３０と、この取付用ブラケット３０に固定された一体型の空調装置本体４０と、この空調装置本体４０を覆うカバー５０と、を備えて大略構成されている。
【００２２】
図４および図５に示すように、側板１０の裏面側には、上下方向に沿って補強枠部材１３が設けられている。本実施の形態では、強度を確保するために、この補強枠部材１３を切断せずに残している。このため、補強枠部材１３が設けられた領域を残して２つの分離された空気流通口１１Ａ，１１Ｂが形成されている。なお、本実施の形態では、側板１０に形成された空気流通口１１Ａ，１１Ｂ（図３参照）の高さは、乗りかご２の床面からカバー５０の下端部までの高さが、１８５ｃｍ以上の高さに設定されている。
【００２３】
本実施の形態において、取付固定具挿入口１２は、図１および図３に示すように、空気流通口１１Ａおよび空気流通口１１Ｂを挟む両側（水平方向両側）にそれぞれ上下に沿って２つ開口されている。
【００２４】
外側補強部材２０は、長手方向に対して直交する方向で切断した断面が例えばＬ字状のチャネル鋼材でなり、側板１０の裏面側に当接する添板部２１に上記取付固定具挿入口１２と対応する穴（図示省略する）が形成され、この穴にボルト２２の先端部が側板１０の裏面側に当接面から突出する状態でボルト２２の頭部が添板部２１に固定されている。このため、外側補強部材２０を側板１０の外側面に位置決めして、ボルト２２を取付固定具挿入口１２に直ちに挿入できるため作業性がよく、またボルト２２や外側補強部材２０が昇降路内に落下することを抑制できる。なお、本実施の形態では、ボルト２２が添板部２１に固定されているが、固定されていなくともよい。
【００２５】
取付用ブラケット３０は、図４、および図５に示すように、側板１０の室内側の面に当接された板状の取付部３１と、取付部３１の上端で折り曲げられてこの取付部３１と直角をなす腕部３２とを有する。取付部３１の下端部は、腕部３２とほぼ平行をなすように室内側に折り曲げられたカバー取付片３３が形成されている。このカバー取付片３３には、ねじ穴３３Ａが形成されている。取付部３１には、外側補強部材２０のボルト２２と対応する位置にボルト挿通口としての一対の取付穴３１Ａ，３１Ａが開設されている。取付用ブラケット３０は、側板１０から突出する外側補強部材２０のボルト２２を取付部３１の取付穴３１Ａに通し、ボルト２２にナット２３を螺合させることにより確実に固定されている。
【００２６】
腕部３２上面における取付部３１の近傍には、カバー係止片３４が設けられている。このカバー係止片３４の下部には、嵩上げのためにＵ字状に折り曲げられた部分を有する。腕部３２の先端部は、下方に折り曲げられた補強片取付部３５が形成されている。補強片取付部３５とカバー係止片３４の中間部には、Ｌ字状に折り曲げられた補強片３６が渡るように固定されている。この補強片３６は、カバー係止片３４のぐらつきを防止する補強作用を有する。この取付用ブラケット３０の取付部３１および腕部３２には、チャネル材のような補強構造を有している。腕部３２には、所定間隔で一対の取付穴３２Ａ，３２Ａが開設されている。
【００２７】
空調装置本体４０は、一体型の空調装置であり、側板１０と対向する裏面側で熱交換用空気の流通を行う。この空調装置本体４０の前面には、下部に冷却風を吹き出す吹き出し口と、上部に乗りかご室内の空気を吸い込む吸気口とがある。
【００２８】
図４および図５に示すように、空調装置本体４０の両側部には、水平方向沿ってＬ字状のチャネル材でなるブラケット４１が固定されている。図４に示すように、このブラケット４１の水平板部４２には、上記腕部３２に形成した取付穴３２Ａ，３２Ａと対応する位置に一対の取付穴４２Ａ，４２Ａが開設されている。
【００２９】
図４に示すように、ブラケット４１を腕部３２に搭載することにより、空調装置本体４０を取付用ブラケット３０に取り付けることができるが、ブラケット４１と腕部３２との間には、緩衝用連結部材４３が介在される。この緩衝用連結部材４３は、中間に緩衝部材４４が設けられ、緩衝部材４４の両側に互いに同軸的に配置されたボルト部４５が設けられている。なお、緩衝部材４４としては、ゴム材、シリコーンを主原料とする非常にやわらかい特異な分子構造を有するゲル状素材、バネ部材など各種の緩衝機能を有するものを用いることができる。図５に示すように、緩衝用連結部材４３は、両側のボルト部４５が、腕部３２の取付穴３２Ａと水平板部４２の取付穴４２Ａに挿通され、それぞれワッシャ４６を介してナット４７で緊締されている。
【００３０】
図５に示すように、空調装置本体４０の裏面側には、空気流通口にフィルタ６０が配置され、図４に示すように、パッキン４８が空調装置本体４０裏面の空気流通口ならびに側板１０に形成された空気流通口１１Ａ，１１Ｂを取り囲むように配置されている。なお、このパッキン４８は、空調装置本体４０の揺動を吸収できる程度に幅寸法が設定されている。また、このパッキン４８は、図６に示すように、カバー５０に形成した切り欠き５０Ｃからフィルタ６０の出し入れを邪魔しないようにようにこの部分は配置されていない。
【００３１】
このようなエレベータ用空調装置におけるカバー５０の取付構造では、取付用ブラケット３０側に設けられたカバー係止片３４に、フック部５４を引っ掛けて、カバー取付片３３と取付片５６とをねじ止めするだけでよいため、簡単に取り付け取り外しができる。このため、空調装置本体４０のメンテナンス作業も迅速に行うことができる。
【００３２】
本実施の形態に係るエレベータ用空調装置のカバー取付方法は、上述のように、まず、カバー５０で空調装置本体４０を覆いつつ、取付用ブラケット３０に設けられたカバー係止片３４に、カバー５０に設けられたフック部５４を引っ掛ける。その後、カバー５０の下部を側板１０に近づけて、取付用ブラケット３０の下部に設けられたカバー取付片３３に、カバー５０の下部に設けられた取付片５６を重ね合わせる。そして、これらカバー取付片３３と取付片５６とをねじ５７で固定する。
【００３３】
（その他の実施の形態）
上述した実施の形態の開示の一部をなす論述および図面はこの発明を限定するものであると理解すべきではない。この開示から当業者には様々な代替実施の形態、実施例および運用技術が明らかとなろう。
【００３４】
例えば、上記した実施の形態では、図２に示すように、吹き出し領域５１は、マトリックス状に複数の長方形の穴５１Ａが集合して構成させ、吸気領域５２は、穴５１Ａよりもやや大きい長楕円状の複数の穴５２Ａがマトリックス状に集合して構成させている。
【００３５】
しかし、図７に示すように、吹き出し領域５１は、穴が、吹き出し口領域５１の横方向の長さ寸法と同等の長さの横方向に沿って形成された、複数のスリット５１Ｂであってもよい。また、図８に示すように、吹き出し口領域５１の縦方向の長さ寸法と同等の長さの縦方向に沿って形成された、複数のスリット５１Ｃであってもよい。このようなその他の実施の形態の場合は、空気吹き出し領域５１の裏面側に配置されるフィルタは比較的目の細かいメッシュ状のものが好ましい。さらには、吹き出し領域５１および吸気領域５２がスリットで形成された構成としてもよい。このようなスリットを形成する場合には、カバー５０の前面壁部５０Ａ側から空調装置本体４０が透けて見えやすくなるため、フィルタ５８、５９を光透過性の低い例えば黒色のフィルタとすることが、意匠上の観点から好ましい。
【図面の簡単な説明】
【００３６】
【図１】本発明の実施の形態に係るエレベータ用空調装置のカバーを備えた取付状態を示す斜視図。
【図２】本発明の実施の形態に係るカバーを備えた空調装置の正面図。
【図３】本発明の実施の形態に係るエレベータ用空調装置の取付構造における側板に形成する空気流通口および取付固定具挿入口を示す平面図。
【図４】本発明の実施の形態に係るエレベータ用空調装置のカバーを除いた分解側面図。
【図５】本発明の実施の形態に係るエレベータ用空調装置においてカバーを縦に切断した状態を示す断面図。
【図６】本発明の実施の形態に係るエレベータ用空調装置のカバーを取り付けた状態の底面図。
【図７】本発明の実施の形態に係るエレベータ用空調装置のカバーのその他の実施の形態を示す正面図。
【図８】本発明の実施の形態に係るエレベータ用空調装置のカバーのさらにその他の実施の形態を示す正面図。
【符号の説明】
【００３７】
１  空調装置
３０  取付用ブラケット
３１  取付部
３２  腕部
３３  カバー取付片
３４  カバー係止片
４０  空調装置本体
５０  カバー
５０Ａ  前面壁部
５０Ｂ  下面壁部
５０Ｃ  スリット
５１  吹き出し領域
５２  吸気領域
５３  上部壁部
５４  フック部
５６  取付片
５７  ねじ
５８，５９  フィルタ
【図１】
2008037617.tif 000003
【図２】
2008037617.tif 000004
【図３】
2008037617.tif 000005
【図４】
2008037617.tif 000006
【図５】
2008037617.tif 000007
【図６】
2008037617.tif 000008
【図７】
2008037617.tif 000009
【図８】
2008037617.tif 000010